【手続補正書】
【提出日】平成21年12月6日(2009.12.6)
【手続補正１】
【補正対象書類名】特許請求の範囲
【補正対象項目名】全文
【補正方法】変更
【補正の内容】
【特許請求の範囲】
【請求項１】
搬送経路の上流側から搬送される被搬送物を下流側の搬送先に送り出す搬送装置であって、
並列的に配置された複数の搬送経路と、
搬送経路毎に搬送を一時的に停止又は搬送速度を低下させて被搬送物の搬送を遅延させる手段と、を備え
前記搬送経路の上流側から搬送される複数の被搬送物を前記並列的に配置された複数の搬送経路に分配し、搬送された順に下流側の所定の搬送先に送り出す
ことを特徴とする搬送装置。
【請求項２】
請求項１に記載の搬送装置において、前記複数の搬送経路におけるゼロを含む搬送遅延時間に基づいて前記被搬送物を搬送する搬送経路を選択することを特徴とする搬送装置。
【請求項３】
請求項１又は２に記載の搬送装置において、前記複数の搬送経路には少なくとも一部に拍車が配置されていることを特徴とする搬送装置。
【請求項４】
請求項１ないし３のいずれかに記載の搬送装置において、前記複数の搬送経路は略直線状の経路であることを特徴とする搬送装置。
【請求項５】
請求項１ないし４のいずれかに記載の搬送装置において、前記複数の搬送経路の少なくとも一部の搬送経路は円弧状のターン経路であることを特徴とする搬送装置。
【請求項６】
請求項１ないし５のいずれかに記載の搬送装置において、前記複数の搬送経路は下流側の搬送先の前で合流していることを特徴とする搬送装置。
【請求項７】
請求項１ないし６いずれかに記載の搬送装置において、前記複数の搬送経路の下流側には被搬送物を反転させる反転経路を備えていることを特徴とする搬送装置。
【請求項８】
請求項１又は２に記載の搬送装置において、所定の条件に基づいて前記被搬送物の搬送遅延時間を可変制御する手段を備えていることを特徴とする搬送装置。
【請求項９】
請求項８に記載の搬送装置において、前記所定の条件は、環境条件、前記被搬送物の種類、前記被搬送物のサイズ及び搬送方向に対する向きの少なくともいずれかであることを特徴とする搬送装置。
【請求項１０】
請求項８に記載の搬送装置において、前記所定の条件はこの搬送装置と通信可能な外部装置又はこの搬送装置の操作パネルから設定又は変更可能であることを特徴とする搬送装置。
【請求項１１】
請求項８に記載の搬送装置において、液体が付与された被搬送物を搬送する搬送装置であって、前記所定の条件は前記被搬送物に付与された液量であることを特徴とする搬送装置。
【請求項１２】
請求項１１に搬送装置において、前記液量は前記被搬送物の所定の箇所に付与された液量であることを特徴とする搬送装置。
【請求項１３】
請求項８に記載の搬送装置において、画像が形成された被搬送物を搬送する搬送装置であって、前記所定の条件は前記被搬送物に対する画像形成モードであることを特徴とする搬送装置。
【請求項１４】
請求項８に記載の搬送装置において、画像が形成された被搬送物を搬送する搬送装置であって、前記所定の条件は画像データであることを特徴とする搬送装置。
【請求項１５】
請求項１又は２に記載の搬送装置において、前記複数の搬送経路について、所定の条件に基づいて前記被搬送物の搬送を遅延させるモードと前記被搬送物の搬送を遅延させないモードとを選択することを特徴とする搬送装置。
【請求項１６】
請求項１５に記載の搬送装置において、前記所定の条件は、環境条件、前記被搬送物の種類、前記被搬送物のサイズ及び搬送方向に対する向きの少なくともいずれかであることを特徴とする搬送装置。
【請求項１７】
請求項１５に記載の搬送装置において、前記所定の条件はこの搬送装置と通信可能な外部装置又はこの搬送装置の操作パネルから設定又は変更可能であることを特徴とする搬送装置。
【請求項１８】
請求項１５に記載の搬送装置において、液体が付与された被搬送物を搬送する搬送装置であって、前記所定の条件は前記被搬送物に付与された液量であることを特徴とする搬送装置。
【請求項１９】
請求項１８に搬送装置において、前記液量は前記被搬送物の所定の箇所に付与された液量であることを特徴とする搬送装置。
【請求項２０】
請求項１５に記載の搬送装置において、画像が形成された被搬送物を搬送する搬送装置であって、前記所定の条件は前記被搬送物に対する画像形成モードであることを特徴とする搬送装置。
【請求項２１】
請求項１５に記載の搬送装置において、画像が形成された被搬送物を搬送する搬送装置であって、前記所定の条件は画像データであることを特徴とする搬送装置。
【請求項２２】
請求項１ないし２１のいずれかに記載の搬送装置において、前記搬送先が前記被搬送物を排出する排出手段であることを特徴とする搬送装置。
【請求項２３】
請求項１ないし２２のいずれかに記載の搬送装置において、前記搬送先が前記被搬送物の両面に画像を形成するときに前記被搬送物を反転させる両面用反転経路であることを特徴とする搬送装置。
【請求項２４】
請求項１ないし２３のいずれかに記載の搬送装置において、前記複数の搬送経路の内の少なくとも１つの搬送経路には前記被搬送物を吸着して搬送を遅延させる手段を備えていることを特徴とする搬送装置。
【請求項２５】
請求項１ないし２４のいずれかに記載の搬送装置において、前記複数の搬送経路の内の少なくとも１つの搬送経路には前記被搬送物を加熱する加熱手段を備えていることを特徴とする搬送装置。
【請求項２６】
請求項１ないし２９のいずれかに記載の搬送装置において、前記複数の搬送経路の内の少なくとも１つの搬送経路には前記被搬送物に気流を吹き付ける手段を備えていることを特徴とする搬送装置。
【請求項２７】
被記録媒体に液体を付与する液体付与装置において、前記被記録媒体に液体を付与する液体付与手段と前記被記録媒体を搬送する請求項１ないし２６のいずれかに記載の搬送装置とを備え、前記液体付与手段がローラ式若しくはブラシ式の塗付装置又はスプレー式塗布装置であることを特徴とする液体付与装置。
【請求項２８】
被記録媒体に液体を付与する液体付与装置において、前記被記録媒体に液体を付与する液体付与手段と前記被記録媒体を搬送する請求項１ないし２６のいずれかに記載の搬送装置とを備え、前記液体付与手段が液滴を吐出する液滴吐出装置であることを特徴とする液体付与装置。
【請求項２９】
被記録媒体に画像を形成する画像形成装置において、前記被記録媒体を搬送する請求項１ないし２６のいずれかに記載の搬送装置を備えていることを特徴とする画像形成装置。
【請求項３０】
請求項２９に記載の画像形成装置において、前記被記録媒体に対して液滴を吐出する液滴吐出装置を備えていることを画像形成装置。
【手続補正２】
【補正対象書類名】明細書
【補正対象項目名】００１８
【補正方法】変更
【補正の内容】
【００１８】
上記の課題を解決するため、本発明に係る搬送装置は、
搬送経路の上流側から搬送される被搬送物を下流側の搬送先に送り出す搬送装置であって、
並列的に配置された複数の搬送経路と、
搬送経路毎に搬送を一時的に停止又は搬送速度を低下させて被搬送物の搬送を遅延させる手段と、を備え
前記搬送経路の上流側から搬送される複数の被搬送物を前記並列的に配置された複数の搬送経路に分配し、搬送された順に下流側の所定の搬送先に送り出す
構成とした。
【手続補正３】
【補正対象書類名】明細書
【補正対象項目名】００１９
【補正方法】変更
【補正の内容】
【００１９】
ここで、複数の搬送経路におけるゼロを含む搬送遅延時間に基づいて被搬送物を搬送する搬送経路を選択する構成とできる。
【手続補正４】
【補正対象書類名】明細書
【補正対象項目名】００２８
【補正方法】変更
【補正の内容】
【００２８】
本発明に係る搬送装置によれば、搬送経路の上流側から搬送される被搬送物を下流側の搬送先に送り出す搬送装置であって、並列的に配置された複数の搬送経路と、搬送経路毎に搬送を一時的に停止又は搬送速度を低下させて被搬送物の搬送を遅延させる手段とを備え、搬送経路の上流側から搬送される複数の被搬送物を並列的に配置された複数の搬送経路に分配し、搬送された順に下流側の所定の搬送先に送り出す構成としたので、被搬送物を１つの搬送経路で遅延させている間でも他の被搬送物を別の搬送経路に送り込むことができるようになり、簡単な構成で、生産性の低下を最小限に抑えながら、被搬送物のカールや被搬送物の汚れを防止することができる。